(57)【要約】      （修正有）【課題】カードの所有者が表示された顔写真を見ながらカードの表面に表示してある個人情報などを確認可能とするとともに、カードの表面に大きな面積の顔写真と大きな文字や多くの文字による表示を可能とする情報カードを提供する。【解決手段】カード本体２における表面２１および裏面のそれぞれに所有者の顔写真表示欄３１を設けるとともに、顔写真表示欄の表示面積を互いに異なるものとしたり、顔写真表示欄の少なくとも一方がカード本体２の表面または裏面の少なくとも６０％を越える表示面積を有するものとした。また、カード本体の表面および裏面の少なくとも一方に文字や記号等による情報表示欄３２を設けたり、顔写真表示欄または情報表示欄に表示される顔写真３１１や個人情報を顔料を用いて印刷した。更には、カード本体の表面および裏面の少なくとも一方にホログラムを配置したり、カード本体をＩＣカードとした。【選択図】図１
0003114935.tif 000002
【実用新案登録請求の範囲】
【請求項１】
カード本体における表面および裏面のそれぞれに所有者の顔写真表示欄を設けたことを特徴とする情報記録カード。
【請求項２】
前記カード本体の表面および裏面にそれぞれ表示した顔写真の面積が互いに異なる請求項１記載の情報記録カード。
【請求項３】
前記カード本体の表面および裏面にそれぞれ表示した顔写真表示欄の少なくとも一方がカード本体の表面または裏面の少なくとも６０％を越える表示面積を有する請求項１または２記載の情報記録カード。
【請求項４】
前記カード本体の表面および裏面の少なくとも一方に文字や記号等による情報が表示される情報表示欄が設けられている請求項１，２または３記載の情報記録カード。
【請求項５】
前記顔写真または個人情報などが顔料を用いて印刷されている請求項１，２，３または４記載の情報記録カード。
【請求項６】
前記カード本体の表面および裏面の少なくとも一方にホログラムが配置されている請求項１，２，３，４または５記載の情報記録カード。
【請求項７】
前記カード本体がカード本体２にＩＣチップを埋設したＩＣカードである請求項１，２，３，４，５または６記載の情報記録カード。
【考案の詳細な説明】
【技術分野】
【０００１】
本考案は、各種の情報記録カードに関するものであり、特に、各種の個人情報を用途に利用が可能な料金支払い装置であって、特に、短時間に精算処理をすることができる料金支払い装置に関するものである。
【背景技術】
【０００２】
従来、身分証（ＩＤカード）、クレジットカード、鉄道の改札カードなどの情報記録カードが使用されており、これらの情報記録カードは特定領域への出入り管理、料金の支払いなどの各種用途に使われている。
【０００３】
そして、これらの情報記録カードは一般に個人情報が表示或いは記録されていることから、例えば、特開２００３−９９７３７号公報、特開平１１−３１２０９号公報、特開２００４−３０２４３号公報に提示されているように顔写真が個人認証として最も判断し易いということから、古くから写真による個人認証が行われており、従来周知の台紙による情報記録カードだけでなく、磁気カードやＩＣカードについても表示されるようになってきている。
【０００４】
そのため、表示面に顔写真を表示したカードは使用時に従来の例えば身分証やパスポートのような個人認証が必要な情報記録カードのように使用者本人を顔写真と対比して直接確認することができるのでセキュリティの面できわめて有効である。
【０００５】
更に、特開２００３−１２３１０７号公報には顔写真に虹彩を表示したりする技術思想も記載されており、例えば各種の情報をデジタル化して記録可能なチップを内蔵したＩＣカードについても原始的な身分の照合手段として採用されてきた顔写真が今後も用いられることになる。
【０００６】
ところが、従来の情報記録カードにおいて、顔写真はカード本体の最も認識しやすい箇所である表面に表示されていた。
【０００７】
従って、従来の情報記録カードにおいては、カード本体に文字や記号で表示する各種の情報も顔写真が表示されている表面に一緒に表示することになり、裏面は例えば情報記録カードの発行元などの重要でない事項が記載されているだけのものが殆どである。
【０００８】
そのため、各種の情報をカード本体の一面（例えば表面）の殆どの部分に表示しなければならず、顔写真の大きさ並びに文字や記号で表示する各種の情報の大きさや量も自ずと制限されてしまい、充分な情報を表示することができなかったり、確認が困難になったりする事態が生じる。
【特許文献１】特開平１１−３１２０９号公報
【特許文献２】特開２００３−９９７３７号公報
【特許文献３】特開２００３−１２３１０７号公報
【特許文献４】特開２００４−３０２４３号公報
【考案の開示】
【考案が解決しようとする課題】
【０００９】
本考案が解決しようとする課題は、カードの所有者が表示された顔写真を見ながらカードの表面に表示してある個人情報などを確認することができるばかりか、カードの表面に大きな面積の顔写真と大きな文字や多くの文字による表示を可能にした情報カードを提供するものである。
【課題を解決するための手段】
【００１０】
前記課題を解決するため、本考案である情報記録カードは、カード本体における表面および裏面のそれぞれに所有者の顔写真表示欄を設けたことを特徴とする。
【００１１】
また、前記カード本体の表面および裏面にそれぞれ表示した顔写真表示欄の表示面積を互いに異なるものとしたり、前記カード本体の表面および裏面にそれぞれ表示した顔写真表示欄の少なくとも一方がカード本体の表面または裏面の少なくとも６０％を越える表示面積を有するもの、前記カード本体の表面および裏面の少なくとも一方に文字や記号等による情報表示欄が設けられているもの、前記顔写真表示欄または情報表示欄に表示される顔写真や個人情報が顔料を用いて印刷されているもの、前記カード本体の表面および裏面の少なくとも一方にホログラムが配置されているもの、前記カード本体をＩＣカードとすることにより更に優れたものとなる。
【考案の効果】
【００１２】
カード本体における表面および裏面のそれぞれに所有者の顔写真の表示欄を表示した本考案によれば、カード本体の表面および裏面のそれぞれに記載した所有者の個人情報をいずれの場合も顔写真と本人とを比較しながら確認することができるのでカード本体の表面及び裏面に個人情報を表示することができ、必然的に多くの情報を表示することができる。
【００１３】
また、カード本体の表面および裏面のそれぞれに情報を表示することが可能であることは少なくとも全体の表示面積が増えることになり、従来の表面にだけ情報と顔写真とを表示した場合の顔写真に比べて表示面積を大きくすることができることから顔写真の表示も鮮明で確実に且つ容易に本人確認を行うことができる。
【００１４】
そして、前記本願発明において、前記カード本体の表面および裏面にそれぞれ表示した顔写真表示欄の面積を互いに異なるようにすれば、情報記録カードの表面と裏面とが一目でわかるので、確認時に所有者および確認者の双方にとってきわめて有効であり、迅速な確認作業をすることができる。
【００１５】
更に、前記カード本体の表面および裏面にそれぞれ表示した顔写真表示欄の少なくとも一方がカード本体の表面または裏面の少なくとも６０％を越える表示面積を有する場合には、表示された顔写真が鮮明に表示されるので確認が容易であるばかりか誤認する心配がない。
【００１６】
前記カード本体の表面および裏面の少なくとも一方に文字や記号等による情報が表示されていることにより、顔写真以外の情報も視覚を通じて確認することができる。
【００１７】
特に、顔写真または情報が顔料を用いて印刷されている場合には、表示が鮮明で有るともに耐久性にも優れている。
【００１８】
前記カード本体の表面および裏面の少なくとも一方にホログラムが配置されている場合、前記カード本体がＩＣカードである場合には、視覚以外の認識も可能であり、更にセキュリティの高い情報記録カードとすることができる。
【考案を実施するための最良の形態】
【００１９】
次に、本考案における実施の形態について説明する。
【００２０】
図面は本考案の好ましい実施の形態を示すものであり、本発明であるＩＣカード１は例えば、縦幅（Ｈ）が８ｃｍ、横幅（Ｌ）が５ｃｍ程度（名刺や通常使用されているクレジットカードやキャッシュカードなどの各種カードの大きさと同じ程度）で、厚さが数ミリ程度の従来一般に用いられている例えば硬質の合成樹脂製のカード本体２を有し、適所に各種の情報を記録した或いは更に書き換え可能なＩＣチップ３が設置されている。
【００２１】
また、本考案に用いられるカード本体２は、接触式であるか、非接触式であるかは問わない。従って、それぞれの仕様に応じて接続端子やアンテナなどの必要な機器を備えている（図示せず）。
【００２２】
そして、本実施の形態は、カード本体２の表面２１および裏面２２にそれぞれ内容や形式の異なる顔写真表示欄３１，４２および各種の個人情報表示欄３２，４２が設けられており、外観上も身分証としての機能を有している。
【００２３】
更に詳細に説明すると、カード本体２の表面２１には上部から中央下部にわたって形成された顔写真表示欄３１に所有者の顔写真３１１が印刷或いは別途に作成したものを貼付けることにより表示される。
【００２４】
特に、本実施の形態では顔写真表示欄３１は縦幅（Ｈ１）が５ｃｍ程度、横幅（Ｌ１）が４ｃｍ程度、つまり、縦幅（Ｈ１）がカード本体の縦幅（Ｈ）のほぼ６０％、横幅（Ｌ１）がカード本体２の横幅（Ｌ）のほぼ８０％を占める顔写真表示欄３１に表示されることになり、通常の運転免許証等に表示されている顔写真表示欄（縦幅が３ｃｍ、横幅が２ｃｍ程度）に比べて面積比で３倍以上の大きさを有していることになり、表示された顔写真の視認性がきわめて良好で、使用時における本人確認の作業を容易且つ確実に行うことができる。
【００２５】
また、情報表示欄３２は、本実施の形態では、５個の情報表示欄３２１〜３２５に区分けされており、それぞれの情報表示欄３２１〜３２５に、例えばカードの目的、氏名、例えば地域、業種、所属などをコード番号で示したＩＤ番号、有効期限、所属団体など、確認に必要な個人情報が表示される。
【００２６】
尚、本実施の形態では情報表示欄３２１〜３２５は５つに区分けされており、それぞれの表示欄３２１〜３２５に予め表示する情報の種類を定めておくことにより、表示洩れや確認洩れがないという効果を生じるが、必ずしも区分けすることを要する訳ではなく、区分の数や配置を含めて使用目的に応じて適宜定めればよい。
【００２７】
また、各情報表示欄３２１〜３２５を例えば、黄色、赤色、白色などのように異なる色彩を付して区分けすることにより、各情報表示欄３２１〜３２５間の区別が鮮明になり、更に確認し易くなる。
【００２８】
尚、前記顔写真３１１は顔写真表示欄３１に貼着することも可能であるが、各情報表示欄３２１〜３２５およびそれらに表示される個人情報などを含めて一括してプリンターにより印刷すると効率よく作成することが可能であり、特に、印刷用インクとして顔料を用いると鮮明に印刷できるばかりか耐久性も向上する。
【００２９】
一方、カード本体２の裏面２２には上部の左側位置に縦幅（Ｈ２）が２ｃｍ程度、横幅（Ｌ２）が１．５ｃｍ程度の顔写真表示欄４２が設けられているとともにその右隣にホログラム表示欄４３およびそれらの下方に３区分に区分けされている情報表示欄４４１，４４２，４４３が設けられており、前記顔写真表示欄４２には顔写真４２１が、情報表示欄４４には個人情報が必要であればホログラム表示欄４３にホログラムがそれぞれ表示される。これらの表示は前記カード本体２の表面２１の場合と同様であり、詳細についての説明は省略する。
【００３０】
以上のような構成を有する本実施の形態は、カード本体２の表面２１および裏面２２にそれぞれ顔写真表示欄３１および顔写真表示欄４２を設けたのでカード本体２の表面２１および裏面２２のいずれの情報表示欄３２１〜３２５，４４１〜４４３を確認する場合にもカード本体２の表面２１に表示された顔写真３１１またはカード本体２の裏面２２に表示された顔写真４２１を視認しながら作業をすることができる。
【００３１】
また、カード本体２の表面２１に表示された顔写真３１１は大きく表示されているために誤認したり、不正な使用を見逃す心配がない。
【００３２】
特に、カード本体２の表面２１に表示された顔写真３１１は大きく表示されていることからカード本体２の表面２１と裏面２２とが一目で確認できることになってきわめて便利であり、表示事項を読み取ることなしに表面２１と裏面２２とがきわめて容易且つ瞬時に確認できるので人的手段により認証を行う場合および内部に収容したＩＣチップ３を用いて認証する場合にもきわめて便利である。
【００３３】
更に、カード本体２の表面２１に表示された顔写真３１１は大きく表示されているにも拘わらず、カード本体２の裏面２２にも個人情報を表示することができるので各種の用途に充分対応することが可能である。
【００３４】
尚、本実施の形態では情報記録カード１として、ＩＣカードの場合を示したが、本発明は、従来の台紙からなる身分証、磁気カードなど他の各種の情報記録カードについて実施することができ、また、カードの用途も問わない。
【図面の簡単な説明】
【００３５】
【図１】本考案の好ましい実施の形態を示す斜視図。
【図２】図１に示した実施の形態の表面図。
【図３】図１に示した実施の形態の裏面図。
【符号の説明】
【００３６】
１  情報記録カード、  ２  カード本体、  ３  記録媒体読み取り装置、  ２１  表面、  ２２  裏面、  ３１  顔写真表示欄、  ４２顔写真表示欄、  ３１１  顔写真、３２１〜３２５，４４１〜４４３  情報表示欄、  ４２１  顔写真
【図１】
0003114935.tif 000003
【図２】
0003114935.tif 000004
【図３】
0003114935.tif 000005